【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
使用ポイントの出口に流体連通しており、処理のために前記使用ポイントから廃水流を受容するように構成されている入口と、前記使用ポイントの入口に流体連通しており、濾液を前記使用ポイントに送出するように構成されている出口とを有するハウジングと、
前記ハウジング内に位置決めされ、親油性フォーム基材および前記親油性フォーム基材上の疎水性コーティングを含み、前記廃水流から疎水性成分を分離して、水および界面活性剤を含む濾液を生成するように構成されている濾過媒体と、
を含む濾過ユニット、を含む、廃水処理システム。
【請求項２】
前記使用ポイントが、衣類洗濯機、食器洗浄機、洗車機、または油抽出操作のうちの１つである、請求項１に記載のシステム。
【請求項３】
前記使用ポイントが、石油化学プラント、軍用廃水処理プラント、水道水処理プラント、食品加工廃水処理システム、航空宇宙水処理システム、およびホテル廃水リサイクルシステムのうちの１つである、請求項１に記載のシステム。
【請求項４】
前記濾過ユニットが、前記濾過媒体の上流で前記ハウジング内に位置決めされた固形分フィルターと、前記濾過媒体の下流で前記ハウジング内に位置決めされたイオン交換フィルターとをさらに含む、請求項１に記載のシステム。
【請求項５】
親油性ポリマーを含むフォーム基材と、
前記フォーム基材上の疎水性コーティングと
を含む、廃水濾過媒体。
【請求項６】
前記フォーム基材が、４００μｍから１０００μｍの間の平均孔径を有する、請求項５に記載の濾過媒体。
【請求項７】
前記親油性ポリマーが、ポリ塩化ビニル（ＰＶＣ）、ポリエチレン（ＰＥ）、ポリウレタン（ＰＵ）、ポリスチレン（ＰＳ）、ポリ乳酸（ＰＬＡ）、アクリロニトリルブタジエンスチレン（ＡＢＳ）、ポリカーボネート（ＰＣ）、フッ素をベースにしたポリマー、塩素をベースにしたポリマー、シリコーン、ナイロン、アクリル、セルロース、およびこれらの複合体からなる群から選択される、請求項５に記載の濾過媒体。
【請求項８】
前記フォーム基材が、０°から９０°の間の油接触角を有する、請求項５に記載の濾過媒体。
【請求項９】
前記フォーム基材が、２０ｍＮ／ｍから７０ｍＮ／ｍの間の臨界表面張力を有する、請求項５に記載の濾過媒体。
【請求項１０】
前記疎水性コーティングが、９０°から１８０°の間の水接触角を有する、請求項５に記載の濾過媒体。
【請求項１１】
前記疎水性コーティングが、ハロゲンをベースにしたポリマー、ポリエチレングリコール（ＰＥＧ）、両性イオンポリマー、糖、タンパク質脂質、グラフェン、およびカーボンナノチューブからなる群から選択される、請求項５に記載の濾過媒体。
【請求項１２】
前記疎水性コーティングが、１μｍから５μｍの平均直径を有する、堆積された粒子を含む、請求項５に記載の濾過媒体。
【請求項１３】
水、界面活性剤、および疎水性物質を含む廃棄物流を分離する方法であって、
前記疎水性物質の大部分を、親油性ポリマーベースのフォームフィルターに吸収させること、および
前記フォームフィルター上への吸収から前記水および界面活性剤の大部分を拒絶して、水および界面活性剤を含む濾液流を生成すること
を含む、方法。
【請求項１４】
廃棄物流を濾過しリサイクルさせる方法であって、
使用ポイントからの、水、界面活性剤、および疎水性物質を含む廃棄物流を、親油性ポリマーベースのフォーム基材および疎水性コーティングを含む濾過媒体に通して、水、界面活性剤、および低減された疎水性物質部分を含む濾液を生成すること、および
前記濾液をリサイクルさせて、前記使用ポイントで再使用すること
を含む、方法。
【請求項１５】
前記濾液と補給水の供給源とを混合して混合物を生成し、その後、前記使用ポイントで再使用することをさらに含む、請求項１４に記載の方法。
【請求項１６】
前記混合物が、１０体積％またはそれ未満の補給水を含む、請求項１５に記載の方法。
【請求項１７】
前記廃棄物流を濾過媒体に通すことが、前記廃棄物流を前記濾過媒を通してポンプ送出することを含む、請求項１４に記載の方法。
【請求項１８】
濾液の単一バッチを、７カ月から８カ月の期間にわたり、前記使用ポイントに繰り返しリサイクルさせる、請求項１７に記載の方法。
【請求項１９】
親油性ポリマーベースのフォーム基材および疎水性コーティングを有する、飽和濾過媒体を再生する方法であって、
前記飽和濾過媒体を圧縮して、吸収された疎水性物質を除去し、再生された濾過媒体を生成すること、を含む方法。
【請求項２０】
濾過媒体を製造するための方法であって、
親油性フォーム基材を、有機溶媒を含む溶液に浸漬して、膨潤フォームを生成すること、
前記膨潤フォームを疎水性微粒子でコーティングして、コーティングされたフォームを生成すること、および
前記コーティングされたフォームを加熱して、前記濾過媒体を生成すること
を含む、方法。
【請求項２１】
前記有機溶媒が、ジクロロメタンまたはトルエンを含む、請求項２０に記載の方法。
【請求項２２】
前記親油性フォーム基材がＰＵを含む、請求項２０に記載の方法。
【請求項２３】
前記疎水性微粒子がＰＴＦＥを含む、請求項２０に記載の方法。
【請求項２４】
前記疎水性微粒子が、１μｍから５μｍの平均粒径を有する、請求項２０に記載の方法。
【請求項２５】
加熱することが、８０℃から１５０℃の範囲の温度で実施される、請求項２０に記載の方法。
【手続補正２】
【補正対象書類名】明細書
【補正対象項目名】００７４
【補正方法】変更
【補正の内容】
【００７４】
本明細書で使用される文言および用語は、説明を目的とするものであり、限定と見なすべきではない。本明細書で使用される場合、「複数の」という用語は、２つまたはそれ超の物品または構成要素を指す。「含む（ｃｏｍｐｒｉｓｉｎｇ）」、「含む（ｉｎｃｌｕｄｉｎｇ）」、「保持する（ｃａｒｒｙｉｎｇ）」、「有する（ｈａｖｉｎｇ）」、「含有する（ｃｏｎｔａｉｎｉｎｇ）」、および「含む（ｉｎｖｏｌｖｉｎｇ）」という用語は、書き取られた記述中であっても請求項などの中であっても、オープンエンドな用語であり、即ち「〜を含むが〜に限定されない」ことを意味する。したがって、そのような用語の使用は、その後に列挙される物品、およびそれらの均等物、ならびに追加の物品を包含することを意味する。「〜からなる」および「〜から本質的になる」という移行句のみが、任意の請求項に関してそれぞれクローズドまたは半クローズドの移行句である。請求項の要素を修飾するための、請求項での「第１の」、「第２の」、および「第３の」などの順序を示す用語の使用は、それ自体は、別の請求項の要素または方法の動作が行われる時間的順序に対して１つの請求項の要素のいかなる優先性、先行性、または順序も内包せず、請求項の要素を区別するために、ある名称を有する１つの請求項の要素を、同じ名称を有する別の要素（しかし順序を示す用語の使用のため）と区別するための標識として使用されるだけである。
本発明の実施形態において、例えば以下の項目が提供される。
（項目１）
使用ポイントの出口に流体連通しており、処理のために前記使用ポイントから廃水流を受容するように構成されている入口と、前記使用ポイントの入口に流体連通しており、濾液を前記使用ポイントに送出するように構成されている出口とを有するハウジングと、
前記ハウジング内に位置決めされ、親油性フォーム基材および前記親油性フォーム基材上の疎水性コーティングを含み、前記廃水流から疎水性成分を分離して、水および界面活性剤を含む濾液を生成するように構成されている濾過媒体と、
を含む濾過ユニット、を含む、廃水処理システム。
（項目２）
前記使用ポイントが、衣類洗濯機、食器洗浄機、洗車機、または油抽出操作の１つである、項目１に記載のシステム。
（項目３）
前記使用ポイントが、石油化学プラント、軍用廃水処理プラント、水道水処理プラント、食品加工廃水処理システム、航空宇宙水処理システム、およびホテル廃水リサイクルシステムの１つである、項目１に記載のシステム。
（項目４）
前記界面活性剤が洗浄剤を含む、項目１に記載のシステム。
（項目５）
前記システムのパラメーターを測定するように構成されている少なくとも１つのセンサーと、前記少なくとも１つのセンサーと通信状態にありかつ前記少なくとも１つのセンサーから受信された入力信号に応答して前記濾過ユニットの動作を制御するための出力信号を生成するように構成されている制御器とを含む、制御システムをさらに含む、項目１に記載のシステム。
（項目６）
前記濾過ユニットが、前記濾過媒体の上流で前記ハウジング内に位置決めされた固形分フィルターと、前記濾過媒体の下流で前記ハウジング内に位置決めされたイオン交換フィルターとをさらに含む、項目１に記載のシステム。
（項目７）
前記濾液と混合される補給水の供給源をさらに含む、項目１に記載のシステム。
（項目８）
親油性ポリマーを含むフォーム基材と、
前記フォーム基材上の疎水性コーティングと
を含む、廃水濾過媒体。
（項目９）
前記フォーム基材が、４００μｍから１０００μｍの間の平均孔径を有する、項目８に記載の濾過媒体。
（項目１０）
前記フォーム基材が、６００μｍから７００μｍの間の平均孔径を有する、項目８に記載の濾過媒体。
（項目１１）
前記親油性ポリマーが、ポリ塩化ビニル（ＰＶＣ）、ポリエチレン（ＰＥ）、ポリウレタン（ＰＵ）、ポリスチレン（ＰＳ）、ポリ乳酸（ＰＬＡ）、アクリロニトリルブタジエンスチレン（ＡＢＳ）、ポリカーボネート（ＰＣ）、フッ素をベースにしたポリマー、塩素をベースにしたポリマー、シリコーン、ナイロン、アクリル、セルロース、およびこれらの複合体からなる群から選択される、項目８に記載の濾過媒体。
（項目１２）
前記親油性ポリマーがＰＵである、項目８に記載の濾過媒体。
（項目１３）
前記フォーム基材が、０°から９０°の間の油接触角を有する、項目８に記載の濾過媒体。
（項目１４）
前記フォーム基材が、０°から１０°の間の油接触角を有する、項目１３に記載の濾過媒体。
（項目１５）
前記フォーム基材が、２０ｍＮ／ｍから７０ｍＮ／ｍの間の臨界表面張力を有する、項目８に記載の濾過媒体。
（項目１６）
前記フォーム基材が、２０ｍＮ／ｍから４０ｍＮ／ｍの間の臨界表面張力を有する、項目１５に記載の濾過媒体。
（項目１７）
前記疎水性コーティングが、９０°から１８０°の間の水接触角を有する、項目８に記載の濾過媒体。
（項目１８）
前記疎水性コーティングが、ハロゲンをベースにしたポリマー、ポリエチレングリコール（ＰＥＧ）、両性イオンポリマー、糖、タンパク質脂質、グラフェン、およびカーボンナノチューブからなる群から選択される、項目８に記載の濾過媒体。
（項目１９）
前記疎水性コーティングが、フッ素をベースにしたポリマーである、項目１８に記載の濾過媒体。
（項目２０）
前記疎水性コーティングが、ポリテトラフルオロエチレン（ＰＴＦＥ）を含む、項目１９に記載の濾過媒体。
（項目２１）
前記疎水性コーティングが、１μｍから５μｍの平均直径を有する、堆積された粒子を含む、項目８に記載の濾過媒体。
（項目２２）
水、界面活性剤、および疎水性物質を含む廃棄物流を分離する方法であって、
前記疎水性物質の大部分を、親油性ポリマーベースのフォームフィルターに吸収させること、および
前記フォームフィルター上への吸収から前記水および界面活性剤の大部分を拒絶して、水および界面活性剤を含む濾液流を生成すること
を含む、方法。
（項目２３）
前記廃棄物流が、洗濯、食器洗い、洗車、または石油化学的操作からの雑排水を含む、項目２２に記載の方法。
（項目２４）
廃棄物流を濾過しリサイクルさせる方法であって、
使用ポイントからの、水、界面活性剤、および疎水性物質を含む廃棄物流を、親油性ポリマーベースのフォーム基材および疎水性コーティングを含む濾過媒体に通して、水、界面活性剤、および低減された疎水性物質部分を含む濾液を生成すること、および
前記濾液をリサイクルさせて、前記使用ポイントで再使用すること
を含む、方法。
（項目２５）
前記濾液と補給水の供給源とを混合して混合物を生成し、その後、前記使用ポイントで再使用することをさらに含む、項目２４に記載の方法。
（項目２６）
前記混合物が、１０体積％またはそれ未満の補給水を含む、項目２５に記載の方法。
（項目２７）
前記廃棄物流を濾過媒体に通すことが、前記廃棄物流を前記濾過媒を通してポンプ送出することを含む、項目２４に記載の方法。
（項目２８）
濾液の単一バッチを、７カ月から８カ月の期間にわたり、前記使用ポイントに繰り返しリサイクルさせる、項目２７に記載の方法。
（項目２９）
親油性ポリマーベースのフォーム基材および疎水性コーティングを有する、飽和濾過媒体を再生する方法であって、
前記飽和濾過媒体を圧縮して、吸収された疎水性物質を除去し、再生された濾過媒体を生成すること、を含む方法。
（項目３０）
除去された疎水性物質を捕捉し、処理することをさらに含む、項目２９に記載の方法。
（項目３１）
前記飽和濾過媒体を圧縮することの５から１０サイクル後に、濾過媒体を取り換えることをさらに含む、項目２９に記載の方法。
（項目３２）
濾過媒体を製造するための方法であって、
親油性フォーム基材を、有機溶媒を含む溶液に浸漬して、膨潤フォームを生成すること、
前記膨潤フォームを疎水性微粒子でコーティングして、コーティングされたフォームを生成すること、および
前記コーティングされたフォームを加熱して、前記濾過媒体を生成すること
を含む、方法。
（項目３３）
前記有機溶媒が、ジクロロメタンまたはトルエンを含む、項目３２に記載の方法。
（項目３４）
前記親油性フォーム基材がＰＵを含む、項目３２に記載の方法。
（項目３５）
前記疎水性微粒子がＰＴＦＥを含む、項目３２に記載の方法。
（項目３６）
前記疎水性微粒子が、１μｍから５μｍの平均粒径を有する、項目３２に記載の方法。
（項目３７）
加熱することが、８０℃から１５０℃の範囲の温度で実施される、項目３２に記載の方法。